(57)【要約】【課題】ミラー回転機構を変更することなしに、メインミラー保持部材の裏面で反射した光束によるゴーストの発生を抑制することができるカメラを提供する。【解決手段】本発明に係わるカメラ（１）は、撮影光学系（２）から入射した被写体光による像を撮像する撮像部（７０）と、前記撮影光学系と前記撮像部とを結ぶ光路内に配置される観察位置及び前記撮影光学系と前記撮像部とを結ぶ光路外に配置される撮像位置との間を移動するミラー部材（２１）と、第１の位置と第２の位置との間で回動自在に支持され、前記ミラー部材が前記観察位置から前記撮像位置に移動したときに、当該ミラー部材の押圧により前記第１の位置から前記第２の位置に回動して、前記撮影光学系の光軸中心付近から前記ミラー部材の裏面側に入射する被写体光を遮光する遮光部（３０）と、を備える。【選択図】図１
2011085762.tif 000002
【特許請求の範囲】
【請求項１】
撮影光学系から入射した被写体光による像を撮像する撮像部と、
前記撮影光学系と前記撮像部とを結ぶ光路内に配置される観察位置及び前記撮影光学系と前記撮像部とを結ぶ光路外に配置される撮像位置との間を移動するミラー部材と、
第１の位置と第２の位置との間で回動自在に支持され、前記ミラー部材が前記観察位置から前記撮像位置に移動したときに、当該ミラー部材の押圧により前記第１の位置から前記第２の位置に回動して、前記撮影光学系の光軸中心付近から前記ミラー部材の裏面側に入射する被写体光を遮光する遮光部と、
を備えることを特徴とするカメラ。
【請求項２】
請求項１に記載のカメラであって、
前記遮光部は、前記撮影光学系の光軸中心付近から前記ミラー部材の裏面側に入射する被写体光を遮光する遮光板と、当該遮光板を保持する遮光板保持枠とを備え、前記ミラー部材が前記観察位置から前記撮像位置に移動したときに、前記ミラー部材の先端部が前記遮光板保持枠を押圧することにより前記遮光板を前記第１の位置から前記第２の位置に回動させることを特徴とするカメラ。
【請求項３】
請求項２に記載のカメラであって、
前記ミラー部材が前記観察位置から前記撮像位置に移動して、前記遮光部が前記第１の位置から前記第２の位置に回動したときに、前記ミラー部材の先端部は、前記被写体光の入射方向と反対側となる前記遮光部の裏側に停止することを特徴とするカメラ。
【請求項４】
請求項２又は３に記載のカメラであって、
前記遮光板保持枠は、前記撮影光学系の光軸方向に移動自在に支持され、前記ミラー部材の先端部により押圧されて前記第１の位置から前記第２の位置に回動するときに、前記撮影光学系側に移動するとともに、前記遮光板が前記光軸に対して傾斜することを特徴とするカメラ。
【請求項５】
請求項２〜４のいずれか一項に記載のカメラであって、
前記遮光板保持枠は、前記ミラー部材による押圧方向とは反対方向に付勢され、前記第１の位置で前記ミラー部材に押圧されたときに、前記付勢に抗して前記第２の位置に回動することを特徴とするカメラ。
【発明の詳細な説明】
【技術分野】
【０００１】
本発明は、一眼レフカメラに関するものである。
【背景技術】
【０００２】
一眼レフカメラは、露光開始時に撮影レンズと撮像部との間に位置するメインミラーを光軸上から退避させ（ミラーアップ）、露光終了後にメインミラーを再び元の位置に復帰させる（ミラーダウン）、いわゆるクイックリターンミラーと呼ばれるミラー回転機構を備える。
【０００３】
このようなミラー回転機構を備えたカメラにおいて、点光源などの高輝度被写体を撮影した場合、ミラーアップ時に、メインミラー保持部材の裏面で反射した光束によりゴーストが発生することがある。そこで、不要な光束を遮光することを目的として、メインミラー保持部材の撮影レンズ側の先端部をエッジ形状にするなどの対策がとられている。また、ミラー回動支点の位置をミラーボックスの後端側に設けることにより、メインミラーの先端位置を伸ばし、メインミラー保持部材のミラーアップ時の停止位置を光軸中心から離すようにしたカメラが知られている（例えば、特許文献１参照）。
【先行技術文献】
【特許文献】
【０００４】
【特許文献１】特開平３−２３３５４６号公報
【発明の概要】
【発明が解決しようとする課題】
【０００５】
しかしながら、メインミラー保持部材の先端部をエッジ形状としても、その先端部を均一なエッジ形状とすることは難しい。このため、エッジ形状とした先端部の表面にバラつきが生じると、先端部で反射した光束によりゴーストが発生するおそれがある。また、特許文献１のカメラでは、ミラー回転機構が大きくなるため、ミラー駆動を高速で行うと、メインミラーの慣性力が増大する。その結果、ミラーアップ時及びミラーダウン時のそれぞれの停止時間が増加してしまい、高速連写に対応できなくなることが考えられる。
【０００６】
本発明の課題は、ミラー回転機構を変更することなしに、メインミラー保持部材の裏面で反射した光束によるゴーストの発生を抑制することができるカメラを提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に係わる発明は、撮影光学系（２）から入射した被写体光による像を撮像する撮像部（７０）と、前記撮影光学系と前記撮像部とを結ぶ光路内に配置される観察位置及び前記撮影光学系と前記撮像部とを結ぶ光路外に配置される撮像位置との間を移動するミラー部材（２１）と、第１の位置と第２の位置との間で回動自在に支持され、前記ミラー部材が前記観察位置から前記撮像位置に移動したときに、当該ミラー部材の押圧により前記第１の位置から前記第２の位置に回動して、前記撮影光学系の光軸中心付近から前記ミラー部材の裏面側に入射する被写体光を遮光する遮光部（３０）と、を備えることを特徴とするカメラ（１）である。
請求項２に係わる発明は、請求項１に記載のカメラ（１）であって、前記遮光部（３０）は、前記撮影光学系（２）の光軸中心付近から前記ミラー部材（２１）の裏面側に入射する被写体光を遮光する遮光板（３１）と、当該遮光板を保持する遮光板保持枠（３２）とを備え、前記ミラー部材が前記観察位置から前記撮像位置に移動したときに、前記ミラー部材の先端部が前記遮光板保持枠を押圧することにより前記遮光板を前記第１の位置から前記第２の位置に回動させることを特徴とする。
請求項３に係わる発明は、請求項２に記載のカメラ（１）であって、前記ミラー部材（２１）が前記観察位置から前記撮像位置に移動して、前記遮光部（３０）が前記第１の位置から前記第２の位置に回動したときに、前記ミラー部材の先端部は、前記被写体光の入射方向と反対側となる前記遮光部の裏側に停止することを特徴とする。
請求項４に係わる発明は、請求項２又は３に記載のカメラ（１）であって、前記遮光板保持枠（３２）は、前記撮影光学系（２）の光軸方向に移動自在に支持され、前記ミラー部材（２１）の先端部により押圧されて前記第１の位置から前記第２の位置に回動するときに、前記撮影光学系側に移動するとともに、前記遮光板（３１）が前記光軸に対して傾斜することを特徴とする。
請求項５に係わる発明は、請求項２〜４のいずれか一項に記載のカメラ（１）であって、前記遮光板保持枠（３２）は、前記ミラー部材（２１）による押圧方向とは反対方向に付勢され、前記第１の位置で前記ミラー部材に押圧されたときに、前記付勢に抗して前記第２の位置に回動することを特徴とする。
なお、符号を付して説明した構成は、適宜改良してもよく、また、少なくとも一部を他の構成物に代替してもよい。
【発明の効果】
【０００８】
本発明によれば、ミラー回転機構を変更することなしに、メインミラー保持部材の裏面で反射した光束によるゴーストの発生を抑制することができるカメラを提供する。
【図面の簡単な説明】
【０００９】
【図１】実施形態に係わるカメラの断面図である。
【図２】ミラーダウン時における遮光部の説明図である。
【図３】遮光板保持枠及び回動機構の外観斜視図である。
【図４】ミラーアップ時における遮光部の説明図である。
【発明を実施するための形態】
【００１０】
以下、図面を参照して、本発明に係わるカメラの実施形態について説明する。なお、以下に示す各図には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。更に、正位置において被写体に向かう方向をＺ方向とする。
【００１１】
図１は、本実施形態に係わるカメラ１の断面図である。図１は、カメラ１を光軸Ａに沿って縦に分割したときの断面図である。
カメラ１は、デジタル一眼レフカメラとして構成されている。カメラ１は、図１に示すように、カメラボディ１０、ミラー機構部２０、遮光部３０、ファインダ部４０、ＡＦモジュール５０、シャッタ部６０、及び撮像部７０を備える。
【００１２】
カメラボディ１０は、カメラ１の各部を固定するメインフレームである。カメラボディ１０は、ミラー機構部２０が配置されるミラー室１０ａを備える。画像表示部１１は、カメラ１の背面側に設けられた液晶ディスプレイであり、撮像部７０で撮像された画像（再生画像、スルー画像）や、操作に関連した情報等を表示する。マウント部１２は、不図示の撮影レンズが着脱自在に装着される部分である。撮影レンズは、入射した被写体光を撮像部７０の受光面に結像するレンズ群を備える撮影光学系である。スポンジ１３は、後述するミラーアップ時に、上方に跳ね上がったメインミラー保持枠２１のバウンドを防止するための緩衝部材である。
【００１３】
ミラー機構部２０は、メインミラー保持枠２１及びサブミラー保持枠２２を備える。ミラー機構部２０は、不図示の撮影レンズから出射される被写体光が入射する位置に設けられている。ミラー機構部２０は、メインミラー２３を、不図示の撮影レンズと撮像部７０とを結ぶ光路内に配置されるミラーダウン位置（観察位置）、及び前記撮影レンズと撮像部７０とを結ぶ光路外に配置されるミラーアップ位置（撮像位置）との間で移動させる機構である。本実施形態におけるミラー機構部２０の構成は従来と同じである。
【００１４】
メインミラー保持枠２１は、メインミラー２３を備えるミラー部材である。メインミラー２３は、被写体光をファインダ部４０へ反射させる反射ミラーである。メインミラー保持枠２１は、メイン支軸２５により回動自在に支持されている。メイン支軸２５には、コイルバネ等からなる不図示のリターンバネが設けられている。
【００１５】
メインミラー保持枠２１は、このリターンバネによりメイン支軸２５を中心として反時計回りに付勢されている。メインミラー保持枠２１は、ミラーアップ時にはリターンバネの付勢力に抗して上方に跳ね上がり、ミラーダウン時にはリターンバネの付勢力により下方に押し戻される。メインミラー保持枠２１のメインミラー２３側の先端部は、ミラーアップ時に、後述する遮光部３０の遮光板保持枠３２を上方に押圧する。以下、メインミラー保持枠２１のメインミラー２３側を「表面側」、その反対側を「裏面側」という。
【００１６】
また、メインミラー２３の反射面には、被写体光の一部を透過させる不図示の半透過ミラーが設けられている。この半透過ミラーを透過した被写体光の一部は、その後部に設けられたサブミラー２４に入射する。
【００１７】
サブミラー保持枠２２は、サブミラー２４を備える。サブミラー２４は、メインミラー２３の半透過ミラーを透過した被写体光を斜め下方に反射して、ＡＦモジュール５０へ導く反射ミラーである。サブミラー保持枠２２は、サブ支軸２６によりメインミラー保持枠２１に対し回動自在に取り付けられている。サブ支軸２６には、トグルバネ等の不図示のリターンバネが設けられている。サブミラー保持枠２２は、このリターンバネによりサブ支軸２６を中心として時計回り又は反時計回りに付勢されている。
【００１８】
すなわち、サブミラー保持枠２２は、ミラーアップ時に、メインミラー保持枠２１に対する角度が所定角度未満になると時計回りに付勢され、図４に示すように、メインミラー保持枠２１と重なる位置まで回動する。また、ミラーダウン時に、メインミラー保持枠２１に対する角度が所定角度以上になると反時計回りに付勢され、図１又は２に示すように、メインミラー保持枠２１から離れた位置まで回動する。
【００１９】
遮光部３０は、後述の図４に示す第１の位置と、図２に示す第２の位置との間で回動自在に支持されている。そして、ミラーアップ時にメインミラー保持枠２１に押圧されて第１の位置から第２の位置に回動して、図４に示すように、撮影レンズ２の光軸Ａの中心付近からメインミラー保持枠２１の裏面側に入射する被写体光を遮光する。遮光部３０の構成については後述する。
【００２０】
ファインダ部４０は、ファインダスクリーン４１、ペンタダハプリズム４２及び接眼部４３を備える。ファインダスクリーン４１は、ミラー機構部２０がミラーダウン位置のときに反射される被写体光を入射して結像するためのスクリーンである。ペンタダハプリズム４２は、ミラーダウン時にファインダスクリーン４１に結像された被写体光による像を正立像とし、接眼部４３へ出射する多角形のプリズムである。接眼部４３は、ペンタダハプリズム４２から出射された被写体光が入射する位置に配置された接眼光学系である。撮影者は、接眼部４３において、被写体光による像を拡大観察することができる。
【００２１】
ＡＦモジュール５０は、上述したサブミラー２４で反射した被写体光を入射して、焦点調節のための測距情報を検出するセンサである。シャッタ部６０は、ミラー機構部２０の後方に配置されている。シャッタ部６０は、ミラー機構部２０が撮影位置（ミラーアップ位置）のときに被写体光が入射する。シャッタ部６０は、不図示の複数のシャッタ羽根群を備え、不図示のレリーズスイッチ等による撮影指示に応じてシャッタ羽根群を開閉させ、撮像部７０に被写体光を入射する。
【００２２】
撮像部７０は、シャッタ部６０を通過した被写体光が入射する位置に設けられている。撮像部７０は、ローパスフィルタ７１及び撮像素子７２を備えている。撮像素子７２は、ローパスフィルタ７１を介して入射した被写体光による像を受光面で撮像し、電気的な画像信号に変換して、不図示の画像処理部へ出力する。
【００２３】
次に、遮光部３０の構成について説明する。図２は、ミラーダウン時における遮光部３０説明図である。図３は、遮光板保持枠及び回動機構の外観斜視図である。図４は、ミラーアップ時における遮光部３０の説明図である。なお、図２及び図４において、符号２は、撮影レンズを模式的に示したものである。
【００２４】
遮光部３０は、図２に示すように、遮光板３１と、遮光板保持枠３２とを備える。遮光板３１は、メインミラー保持枠２１の裏面側に入射する被写体光を遮光する遮光部材３１ａと、この遮光部材３１ａを保持するための遮光部材保持板３１ｂとを備える。遮光部材３１ａは、植毛紙、遮光シート等の薄いシード材からなり、遮光部材保持板３１ｂに貼り付けられている。遮光部材保持板３１ｂは、遮光板保持枠３２の前面に取り付けられている。
【００２５】
次に、遮光板保持枠３２及び回動機構の構成を、図３を参照しながら説明する。なお、遮光板保持枠３２の長手方向の両端における構成は光軸Ａを挟んで対称となるため、図中手前側についてのみ説明し、図中奥側の構成については符号と説明を省略する。
【００２６】
遮光板保持枠３２は、図３に示すように、略コ字形に成形された金属板により構成されている。遮光板保持枠３２は、長手方向の両端に回動腕部３３を有する。回動腕部３３は、遮光板取り付け部３４、枠側面部３５、ミラー押圧受け部３７を備える。遮光板取り付け部３４は、遮光板３１（図２）を取り付けるための部分である。遮光板３１は、接着又はネジ止めにより遮光板取り付け部３４に取り付けられる。枠側面部３５は、長穴３６を備える。長穴３６は、後述するカメラボディ１０の固定軸１４と係合する穴である。ミラー押圧受け部３７は、ミラーアップ時にメインミラー保持枠２１の先端部により押圧される部分である。また、ミラー押圧受け部３７は、バネ受け軸３８を備える。
【００２７】
カメラボディ１０（図２）は、ミラー室１０ａのＸ方向の両側に、固定軸１４とバネ受け軸１５とを備える。固定軸１４は、遮光部３０が回動中心となる軸である。固定軸１４は、遮光板保持枠３２の長穴３６と係合する。固定軸１４には、リターンバネ１６が取り付けられている。リターンバネ１６は、固定軸１４を中心として遮光板保持枠３２を時計回り（図２）に付勢するためのバネである。リターンバネ１６の下部は、ミラー押圧受け部３７のバネ受け軸３８に対して摺動自在に係合する。また、リターンバネ１６の上部は、カメラボディ１０のバネ受け軸１５に対して回動自在に係合する。
【００２８】
遮光板保持枠３２は、リターンバネ１６の付勢力により、メインミラー保持枠２１と当接しないミラーダウン時には、図２に示すように、長穴３６の先端部と固定軸１４とが当接した状態で係止する。これにより、遮光板保持枠３２に取り付けられた遮光板３１は、光軸Ａに対して略直交した位置となる（第１の位置）。また、遮光板保持枠３２は、リターンバネ１６により常時付勢されているため、メインミラー保持枠２１と当接しないミラーダウン時に、振動等による遊動を防止することができる。
【００２９】
なお、撮影レンズ２の焦点距離や遮光板３１の高さ（Ｙ方向）によっては、図２に示すように、撮影レンズ２の周辺部から入射する光束Ｂが遮光板３１で遮光される場合がある。しかしながら、図２に示すミラーダウン位置において、接眼部４３から撮影者により観察される、被写体光による像の見え方に大きな影響は与えない。
【００３０】
次に、上記のように構成された遮光部３０の動作について説明する。図２に示すミラーダウン位置において、撮影者により不図示のシャッターボタンが操作されると、ミラー機構部２０が駆動され、図４に示すように、メインミラー２３及びサブミラー２４がミラーアップにより上方に跳ね上がり、光軸Ａ（光路）上から退避する。
【００３１】
このミラーアップの途中において、メインミラー保持枠２１の先端部は、まず、スポンジ１３に当接する。その後、メインミラー保持枠２１の先端部は、遮光板保持枠３２のミラー押圧受け部３７に当接して、ミラー押圧受け部３７を上方に押圧する。ミラー押圧受け部３７は、メインミラー保持枠２１により上方に押圧されると、リターンバネ１６の付勢力に抗して上方に持ち上げられる。このとき、遮光板保持枠３２の長穴３６は固定軸１４により上方への移動が規制されているため、カメラボディ１０の固定軸１４に対して長穴３６は相対的に前方（Ｚプラス方向）に移動する。すなわち、遮光板保持枠３２は、固定軸１４に対して前方に移動する。
【００３２】
そして、更にミラー押圧受け部３７がメインミラー保持枠２１により上方に押圧され、長穴３６の後端部と固定軸１４とが当接する位置に達すると、遮光板保持枠３２は、固定軸１４を中心として反時計回りに回動する。これにより、遮光板保持枠３２に取り付けられた遮光板３１は、光軸Ａに対し傾斜した位置となる（第２の位置）。すなわち、ミラーアップ時には、遮光板保持枠３２は固定軸１４に対し前方に移動するとともに、固定軸１４を中心として反時計回りに回動する。そして、図４に示すように、遮光板保持枠３２は、遮光板３１が光軸Ａに対し傾斜した位置で停止する。また、このとき、メインミラー保持枠２１の先端部は、被写体光の入射方向とは反対側となる遮光板３１の裏側に停止することになる。
【００３３】
この状態でシャッタ部６０が開くと、入射した被写体光が撮像部７０に導かれ、被写体光による像が撮像される。このとき、図４に示すように、撮影レンズ２の光軸Ａ中心付近からメインミラー保持枠２１の裏面側に入射する光束Ｃは、傾斜した遮光板３１により遮光される。図４に示す一点鎖線は、遮光板３１がない場合にメインミラー保持枠２１の裏面側となる先端部で反射する光束である。撮像時にこの光束が撮像部７０に入射すると、画像にゴーストが写り込むことになる。しかしながら、本実施形態によれば、撮影レンズ２の光軸Ａ中心付近からメインミラー保持枠２１の裏面側に入射する光束Ｃは遮光板３１により遮光されるので、ゴーストの発生を抑制することができる。一方、撮影レンズ２の周辺部から入射する光束Ｂや光束Ｄは、遮光板３１で遮光されることなく、撮像部７０に入射する。なお、光束Ｄは、撮影レンズ２の最外周の周辺部から入射する光束を示している。
【００３４】
また、シャッタ部６０が閉じて撮像部７０による撮像が終了すると、再びミラー機構部２０が駆動されて、メインミラー２３及びサブミラー２４はミラーダウンして下方に押し戻され、図２に示すように、光軸Ａ上に配置される。これにより、遮光板保持枠３２のミラー押圧受け部３７は、メインミラー保持枠２１の先端部による押圧が解除される。このとき、遮光板保持枠３２は固定軸１４を中心として時計回りに回動するとともに、リターンバネ１６の付勢力により、カメラボディ１０の固定軸１４に対して長穴３６が相対的に後方（Ｚマイナス方向）に移動する。すなわち、遮光板保持枠３２は、固定軸１４に対して後方に移動する。
【００３５】
そして、長穴３６の先端部と固定軸１４とが当接する位置に達すると、遮光板保持枠３２に取り付けられた遮光板３１は、光軸Ａに対し略直交した位置となる（第１の位置）。すなわち、ミラーダウン時には、遮光板保持枠３２は固定軸１４に対し後方に移動するとともに、固定軸１４を中心として時計回りに回動する。そして、図２に示すように、遮光板保持枠３２は、遮光板３１が光軸Ａに対し略直交する位置で停止する。
【００３６】
上述した実施形態によれば、以下の効果を奏する。
（１）ミラーアップ時に、遮光部３０を図２に示す第１の位置から図４に示す第２の位置まで回動させて、撮影レンズ２の光軸Ａ中心付近からメインミラー保持枠２１の裏面側に入射する被写体光を遮光するようにしたので、メインミラー保持枠２１の裏面で反射した光束によるゴーストの発生を抑制することができる。
（２）ミラー機構部２０を従来と同じ構成とすることができるので、上述した特許文献１のカメラのようにミラー回転機構を大きくする必要がない。これによれば、メインミラー２３の慣性力を増大させることがなく、ミラーアップ時及びミラーダウン時のそれぞれの停止時間が増加することもないので、高速連写にも十分に対応させることができる。
（３）ミラー機構部２０を従来と同じ構成とすることができるので、メインミラー保持枠２１の先端部をエッジ形状とするなどの加工が不要となり、ミラー機構部２０のコスト増を抑えることができる。また、メインミラー保持枠２１の先端部をエッジ形状としたときのように、その表面のバラつきにより先端部で反射した光束がゴーストとなる不具合を生じることがない。
（４）遮光部３０は、メインミラー保持枠２１の押圧により回動するため、遮光部３０を回動させるための専用の動力源が不要となる。このため、コスト増を抑えることができる。
（５）ミラーアップ時に、メインミラー保持枠２１の先端部は遮光板３１の裏側に停止するため、撮影レンズ２の光軸Ａ中心付近から入射する光束Ｃがメインミラー保持枠２１の先端部に反射するのを確実に防止することができる。
（６）ミラーアップ時に、メインミラー保持枠２１は前方（Ｚプラス方向）に移動し、且つ遮光板３１は光軸Ａに対して傾斜するため、撮影レンズ２の周辺部から入射する光束を遮光することがなく、撮影レンズ２の光軸Ａ中心付近から入射する光束のみを遮光することができる。これによれば、とくに焦点距離の短い撮影レンズにおいて、周辺部から入射する光束に影響を与えることなしに、光軸中心付近から入射する不要な光束のみを効果的に遮光することができる。ちなみに、メインミラー保持枠２１の先端部を遮光板３１のように形成した場合は、ミラーアップ時に撮影レンズ２の周辺部から入射する光束を遮光してしまうおそれがある。また、メインミラー保持枠２１の先端部の質量が増加するため、メインミラー２３の慣性力を増大させることになる。しかしながら、本実施形態によれば、メインミラー保持枠２１に新たな部材を付加する必要がないため、上記不具合を生じることがない。
（７）遮光板保持枠３２は、リターンバネ１６によりメインミラー保持枠２１の押圧方向と反対方向に付勢されている。このため、遮光部３０は、メインミラー保持枠２１と当接しないミラーダウン時において、振動等により遊動することがない。また、ミラーアップ時において、メインミラー保持枠２１の先端部に生じた慣性力は、遮光板保持枠３２と当接した際に、リターンバネ１６の付勢力により減衰される。このため、メインミラー保持枠２１のバウンドを軽減することができる。
（８）遮光板３１の回動範囲は、メインミラー保持枠２１の回動範囲に比べて小さいため、高速連写又は長期間の使用により遮光部材３１ａの剥がれを生じにくい。ちなみに、メインミラー保持枠２１の先端に植毛紙などを貼り付けた場合は、メインミラー保持枠２１の回動範囲が大きいために慣性力も大きくなり、動作中に剥がれてしまうおそれがある。しかしながら、本実施形態の遮光板３１は回動範囲が小さいために慣性力も小さくなるので、動作中の剥がれを生じにくくすることができる。
（９）遮光板保持枠３２のミラー押圧受け部３７は、メインミラー保持枠２１の先端部の表面側と当接する。このため、ミラー押圧受け部３７とメインミラー保持枠２１との摺動により、メインミラー保持枠２１の先端部の表面側の塗装が剥がれても、ミラーアップ時に、メインミラー保持枠２１の上記摺動面はファインダスクリーン４１側に収納されるので、塗装の剥がれた部分の反射による迷光の影響を受けることがない。
（変形形態）
【００３７】
以上説明した実施形態に限定されることなく、本発明は以下に示すような種々の変形や変更が可能であり、それらも本発明の範囲内である。
（１）本実施形態では、遮光板保持枠３２に長穴３６を形成した例について示したが、これに限らず、丸穴であってもよい。ただし、長穴とすることにより、遮光板保持枠３２をより前方（Ｚプラス方向）に移動させることができる。
（２）本実施形態では、リターンバネ１６を遮光板保持枠３２の両端部に設けた例について示したが、リターンバネ１６を一方のみに設けた構成としてもよい。
（３）本実施形態では、本発明をデジタル一眼レフカメラに適用した例について説明したが、本発明はこれに限らず、例えばフィルム式一眼レフカメラにも適用することができる。
【００３８】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００３９】
１：カメラ、２：撮影レンズ、１０：カメラボディ、１３：スポンジ、１４：固定軸、１５：バネ受け軸、１６：リターンバネ、２０：ミラー機構部、２１：メインミラー保持枠、２３：メインミラー、３０：遮光部、３１：遮光板、３１ａ：遮光部材、３１ｂ：遮光部材保持板、３２：遮光板保持枠、３３：回動腕部、３４：遮光板取り付け部、３５：枠側面部、３６：長穴、３７：ミラー押圧受け部、３８：バネ受け軸
【図１】
2011085762.tif 000003
【図２】
2011085762.tif 000004
【図３】
2011085762.tif 000005
【図４】
2011085762.tif 000006